(57)【特許請求の範囲】
【請求項１】
回転工具に把持されるシャフトが取り付けられた板状のベースと、
前記ベースに取り付けられ、前記シャフトと反対方向に延び、手回しねじのノブを圧縮保持する筒体とを備え、
前記回転工具に取り付けて手回しねじの前記ノブを回転させる回転治具であって、
前記筒体は、弾性体で、その内形は、前記ノブの外形よりも僅かに小さく、その先端に軸方向に伸びる複数の切り欠きを有し、
前記弾性体の切り欠きは、先端に向かうほどその幅が広く、軸方向に前記ノブに押し当てた際に前記先端の内形が前記ノブの外形に沿って開き、前記ノブを周囲から圧縮保持すること、
を特徴とする回転治具。
【発明の詳細な説明】
【技術分野】
【０００１】
本発明は、手回しねじのノブを回転させる回転治具に関する。
【背景技術】
【０００２】
エレベータや空調機の組立には多くのねじ類が使用されており、メンテナンスの際にはこれらのねじ類の取り付け取り外しを行うことが必要となってくる。ねじ類の頭は規格品の六角形のものや六角穴のものが多く、これらの取り付け取り外しは、規格寸法に合ったレンチ、スパナ等を電動のインパクトレンチ或いは電動ドリルに取り付けて行うことで作業効率を上げている。
【０００３】
また、ねじ孔内面の清掃などのように、インパクトレンチや電動ドリルなどに規格品の工具を取り付けたのみでは適切に作業ができない場合には、インパクトレンチや電動ドリルの回転軸とタップ等の他の工具とをアダプタによって接続し、作業効率を上げることが提案されている（例えば、特許文献１参照）。
【先行技術文献】
【特許文献】
【０００４】
【特許文献１】特開２０１１−５１７０１号公報
【発明の概要】
【発明が解決しようとする課題】
【０００５】
ところで、空調機器等のビル設備機器では、点検の回数が多い部位には簡単に開閉できる蓋或いはカバーが取り付けられている場合が多い。このような場合には、スパナや六角レンチなどの工具を用いずに簡単にカバーの取り外しが行えるように、手回しねじによってカバーや蓋をケーシングに固定している。手回しねじのノブは、六角ボルトのような規格品ではなく、人間がつまんで回転させることができる様々な形状をしていることから、これらを規格品の工具によって回転させることができず、分解、開放に時間が掛かってしまう場合があった。
【０００６】
そこで、本発明は、手回しねじのノブの締め付け、取り外しを高速で行うことを目的とする。
【課題を解決するための手段】
【０００７】
本発明の回転治具は、回転工具に把持されるシャフトが取り付けられた板状のベースと、前記ベースに取り付けられ、前記シャフトと反対方向に延び、手回しねじのノブを圧縮保持する筒体とを備え、前記回転工具に取り付けて手回しねじの前記ノブを回転させる回転治具であって、前記筒体は、弾性体で、その内形は、前記ノブの外形よりも僅かに小さく、その先端に軸方向に伸びる複数の切り欠きを有し、前記弾性体の切り欠きは、先端に向かうほどその幅が広く、軸方向に前記ノブに押し当てた際に前記先端の内形が前記ノブの外形に沿って開き、前記ノブを周囲から圧縮保持すること、を特徴とする。
【発明の効果】
【０００９】
本発明は、手回しねじのノブの締め付け、取り外しを高速で行うことができるという効果を奏する。
【図面の簡単な説明】
【００１０】
【図１】本発明の実施形態における回転治具を電動ドリルのチャックに取り付けた状態示す斜視図である。
【図２】本発明の実施形態における回転治具の正面図と側面図である。
【図３】本発明の実施形態における回転治具をねじのノブにはめ込んだ状態を示す説明図である。
【図４】本発明の他の実施形態における回転治具の正面図である。
【発明を実施するための形態】
【００１１】
図１に示す様に、本実施形態の回転治具１０は、回転工具である電動ドリル２０のチャック２１に把持されるシャフト１２が取り付けられた円板状のベース１１と、ベース１１に取り付けられ、シャフト１２の反対方向に延び、手回しねじ３０のノブ３１を圧縮保持する円筒体１３とを備えている。円筒体１３は、ゴム等の弾性体で、その内形は、ノブ３１の外形よりも僅かに小さく、その先端に軸方向に伸びる複数の切り欠１４と、切り欠き１４の間の保持ツメ１５とを有している。
【００１２】
図２（ａ）に示す様に、シャフト１２は、中心線１７に沿って伸びる金属製の丸棒であり、電動ドリル２０やトルクレンチ等の回転工具のチャック２１で把持することができる程度の直径となっている。ベース１１は金属製或いは、樹脂製の円板であって、その外周面にはゴム等の弾性体の円筒体１３がはめ込まれて固定されている。円筒体１３の内形Ｄは、手回しねじ３０のノブ３１の外形よりも少し小さくなっている。円筒体１３の先端、或いはシャフト１２と反対側には端部からベース１１の方に向かって軸方向に伸びる長方形の切り欠き１４が設けられている。そして、切り欠き１４の間には長方形の保持ツメ１５が形成されている。図２（ｂ）に示す様に、円筒体１３の切り欠き１４は４つであり、保持ツメ１５は５枚となっている。
【００１３】
図３に示すように、電動ドリル２０のチャック２１に取り付けられた回転治具１０を空調装置のケーシング４０にねじ込まれている手回しねじ３０のノブ３１に向かって押し付けると、図３の一点鎖線で示す様に、各保持ツメ１５の先端はノブ３１の角の丸みに沿ってノブ３１の外周側に向かって広がり、各切り欠き１４は保持ツメ１５の内形が広がるので、その幅が先端に向かって広くなる台形形状に広がっていく。
【００１４】
円筒体１３はゴム等の弾性体であるので、各保持ツメ１５はノブ３１によって外周側に向かって変形した反力によってノブ３１の外周を締め付け、ノブ３１の外周を圧縮支持する。この状態で、電動ドリル２０を回転させると円筒体１３はノブ３１を圧縮支持した状態で手回しねじ３０を回転させ、手回しねじ３０をケーシング４０から取り外す。また、手回しねじ３０をケーシング４０に取り付ける際には、手回しねじ３０のノブ３１に円筒体１３をはめ込んで円筒体１３に手回しねじ３０のノブ３１を圧縮保持させた状態で、ねじ部３３をケーシング４０に入れて電動ドリルを回転させることによって手回しねじ３０をケーシング４０に取り付けることができる。
【００１５】
以上説明したように、本実施形態の回転治具１０を電動ドリル２０やトルクレンチ等の電動回転工具の先端にセットすることによって、手回しねじ３０のノブ３１の締め付け、取り外しを高速で行うことができる。
【００１６】
以上説明した実施形態では、長方形で保持ツメ１５により手回しねじ３０のノブ３１の外周を圧縮保持することとして説明したが、保持ツメ１５の一部が図１に示すノブ３１の窪み３２にはまり込むようことができるような幅としてもよい、この場合、保持ツメ１５の半径方向の圧縮力のみでなく保持ツメ１５の側面と窪み３２の係合により手回しねじ３０を回転させる回転トルクを発生させることができ、手回しねじ３０をより強く締め付けたり、締め付けの強い手回しねじ３０を取り外したりすることを容易に行うことができる。また、本実施形態では、筒体は円筒形状の円筒体１３とし、ベース１１は円板状であることとして説明したが、筒体は円筒形である必要はなく六角形、八角形などの多角形筒であり、ベース１１は多角形の板であっても良い。
【００１７】
本実施形態では、切り欠き１４、保持ツメ１５はそれぞれ長方形として説明したが、図４に示す様に、三角形の切り欠き１４ａとし、先端に行くに従って幅が狭くなるような台形形状の保持ツメ１５ａとして構成しても良い。本実施形態は先に説明した実施形態と同様の効果を奏する。
【符号の説明】
【００１８】
１０  回転治具、１１  ベース、１２  シャフト、１３  円筒体、１４，１４ａ  切り欠き、１５，１５ａ  保持ツメ、２０  電動ドリル、２１  チャック、３０  手回しねじ、３１  ノブ、３２  窪み、３３  ねじ部、４０  ケーシング。
【図１】
0005763500.tif 000002
【図２】
0005763500.tif 000003
【図３】
0005763500.tif 000004
【図４】
0005763500.tif 000005